(57)【要約】【課題】捕獲手段により捕獲した飛翔虫の残骸から異臭が放たれることを抑制し得る捕虫器を提供する。【解決手段】ハウジング２と、誘虫ランプ５と、粘着シート６と、マイナスイオン発生器７と、電源回路装置８とを備えたものであるから、マイナスイオン発生器７により発生されるマイナスイオンの空気清浄化作用によって、粘着シート６に捕獲した飛翔虫の残骸から異臭が放たれることを抑制できる。これにより、店舗や事務所などに設置した場合に、これら設置場所の衛生環境を比較的長期に亘って良好に保つことができる。【選択図】図２
0003175833.tif 000002
【実用新案登録請求の範囲】
【請求項１】
外枠と、紫外線を発する誘虫ランプと、飛翔虫を捕獲するための捕獲手段と、マイナスイオン発生器と、外部電源から供給された電力を誘虫ランプ及びマイナスイオン発生器へ供給するための電源回路装置とを備えたものであることを特徴とする捕虫器。
【請求項２】
マイナスイオン発生器が、カーボンブラシ方式の発生器であり、マイナスイオンを発生するカーボンブラシが露出するように配設されていることを特徴とする請求項１に記載の捕虫器。
【請求項３】
マイナスイオン発生器のカーボンブラシが、外枠の内部に配設された捕獲手段の前面側に配置されていることを特徴とする請求項２に記載の捕虫器。
【請求項４】
捕獲手段が、捕虫用の粘着シートにより構成されていることを特徴とする請求項１乃至請求項３のいずれか１項に記載の捕虫器。
【請求項５】
外枠は、
誘虫ランプと粘着シートとが内側に装着される割筒状の取付基盤と、取付基盤の両側に設けられ、その内面に、互いに対向するように略円環状の摺動ガイドが夫々形成された側板とからなり、側板間に幅広状の捕虫開口が形成された筒状筐体と、
両端が両側板の摺動ガイドに連係されて任意の回動位置に移動可能に装着され、捕虫開口を開閉する断面円弧状の開閉引戸と
を備えたものであって、
前記筒状筐体内に、その捕虫開口に臨むように粘着シートが配設され、該粘着シートと捕虫開口との間にマイナスイオン発生器のカーボンブラシが配設されていることを特徴とする請求項４に記載の捕虫器。
【考案の詳細な説明】
【技術分野】
【０００１】
本考案は、誘虫ランプと捕獲手段とを備えた捕虫器に関する。
【背景技術】
【０００２】
ハエや蛾などの飛翔虫の好む紫外線を発する誘虫ランプと、該誘虫ランプに誘引された飛翔虫を捕獲する粘着シートとが内部に配設された捕虫器は広く知られている（例えば特許文献１）。ここで、特許文献１の捕虫器にあっては、誘引源である紫外線を広範囲に照射して、多くの飛翔虫を誘引可能とすると共に、粘着シートを下方から視認し難くしている。このように粘着シートを視認し難くしたことによって、店舗やオフィスなど清潔感が求められるところで使用できるようにしている。また、この捕虫器は、誘引した飛翔虫を感電死させるのではなく、粘着シートに付着させて捕獲するため、電気代が安く、安全性も高いといった利点を有している。
【０００３】
尚、捕虫器としては、飛翔虫を捕獲する粘着シートを備えた構成の他に、誘引された飛翔虫に電撃を与える電極を備えた構成、誘引された飛翔虫を吸引ファンによりネット内へ吸引する構成等もある。
【先行技術文献】
【特許文献】
【０００４】
【特許文献１】特開平１１−４６６５７号公報
【考案の概要】
【考案が解決しようとする課題】
【０００５】
ところで、上記した粘着シートを備えた捕虫器では、該粘着シートに捕獲した飛翔虫が残るため、該粘着シートを定期的に交換することが求められる。しかし、捕虫器は、天井から吊り下げられたり、壁に設置されたりする等のように、比較的高い場所に取り付けられることが多く、粘着シートの交換作業が煩わしく、交換期間が比較的長くなってしまう傾向にある。比較的長い期間、粘着シートが交換されない場合には、粘着シートに捕獲した飛翔虫の残骸から異臭が発生してしまうことが懸念される。特に、交換されない期間が長くなるに従って、飛翔虫の捕獲数も増加する傾向となるため、異臭の発生する懸念も高まる。また、カメムシ等のように比較的強い異臭を放つ飛翔虫を捕獲した場合には、交換期間に関わらず、残骸から異臭が放たれる懸念が強い。このように飛翔虫の残骸から異臭が放たれてしまうことを抑制することが求められる。
【０００６】
一方、上記した電極を備えた捕虫器にあっても、電撃を与えた飛翔虫の残骸が器体（外枠）内に残ることにより、上記と同様の問題点を生じる虞がある。また、上記した吸引ファンを備えた捕虫器にあっても、ネットに捕らえた飛翔虫の残骸が残ることにより、上記と同様の問題点を生じる虞がある。
【０００７】
本考案は、かかる現状に鑑みてなされたものであり、捕獲した飛翔虫の残骸から異臭が放たれることを抑制し得る捕虫器の提供を目的とする。
【課題を解決するための手段】
【０００８】
本考案は、外枠と、紫外線を発する誘虫ランプと、飛翔虫を捕獲するための捕獲手段と、マイナスイオン発生器と、外部電源から供給された電力を誘虫ランプ及びマイナスイオン発生器へ供給するための電源回路装置とを備えたものであることを特徴とする捕虫器である。
【０００９】
かかる構成によれば、マイナスイオン発生器により発生されるマイナスイオンの空気清浄化作用によって、捕獲手段により捕獲した飛翔虫の残骸から異臭が放たれることを抑制できる。これにより、例えば、比較的強い異臭を放つカメムシ等を捕獲した場合にも、その異臭を抑制できる。そのため、本考案の捕虫器を、店舗や事務所などに配置された場合に、これら配置場所の衛生環境を比較的長期に亘って良好に保つことができる。
【００１０】
また、マイナスイオンの空気清浄化作用により消臭効果が発揮されることから、臭いにり誘引される飛翔虫が寄り付くことを抑制できる。そのため、例えば、本考案の捕虫器を出入口や窓の近傍に配設することにより、前記飛翔虫の浸入を抑制するという作用効果も生じ得る。さらにまた、マイナスイオンの空気清浄化作用によれば、例えばタバコや調理等により発生する煙を清浄化することもできるため、本構成の捕虫器を、喫茶店やレストラン等の飲食店および食品の販売店に設置することによって、飛翔虫を捕獲するという作用効果と、マイナスイオンによる空気清浄化という作用効果との両方を発揮できる。したがって、本構成の捕虫器は、良好な衛生環境を保つために、極めて有益なものである。さらには、本構成の捕虫器を設置することにより、別のマイナスイオン発生装置を設置することを省略可能となるため、コスト削減できるという利点も有する。
【００１１】
尚、マイナスイオン発生器としては、コロナ放電方式、電子放射方式、プラズマ方式などのものを適用できる。また、電源回路装置としては、外部電源から供給される５０Ｈｚや６０Ｈｚの交流電力を、直流電力に変換し（所謂インバータ）、さらに所定周波数の交流電力に変換（所謂コンバータ）するものが好適に用いられる。かかる電源回路装置によれば、誘虫ランプを安定して点灯できると共に、マイナスイオン発生器によりマイナスイオンを安定して発生することができ、さらに省エネルギー化もできる。
【００１２】
上述した本考案の構成にあって、外枠は、器体をかたちつくるためのものであり、全体的に覆うようなハウジングも含まれる。そして、ハウジングを適用した構成の場合には、該ハウジング内に、誘虫ランプと、捕獲手段と、マイナスイオン発生器と、電源回路装置とが配設された構成が好適に用いられる。
【００１３】
上述した本考案の捕虫器にあって、マイナスイオン発生器が、カーボンブラシ方式の発生器であり、マイナスイオンを発生するカーボンブラシが露出するように配設されている構成が提案される。
【００１４】
ここで、カーボンブラシ方式は、上記したコロナ放電方式を用いたものであり、比較的多量のマイナスイオンを安定して発生することができる。そのため、本構成によれば、上述した本考案の作用効果を一層安定して向上できる。
【００１５】
上述した本考案の捕虫器にあって、マイナスイオン発生器のカーボンブラシが、外枠の内部に配設された捕獲手段の前面側に配置されている構成が提案される。
【００１６】
ここで、捕獲手段の前面側に配設されたカーボンブラシからマイナスイオンを発生させることによって、該捕獲手段により捕獲した飛翔虫の残骸から放たれる異臭を抑制する作用効果が向上し得る。
【００１７】
上述した本考案の捕虫器にあっては、捕獲手段が、捕虫用の粘着シートにより構成されているものが提案される。
【００１８】
かかる構成によれば、捕獲した飛翔虫の残骸が粘着シートに付着した状態で残るため、該粘着シートの近傍に、マイナスイオン発生器によりマイナスイオンを発生させることによって、該マイナスイオンによる異臭の抑制する作用効果が効率的に生じ易い。また、粘着シートを交換することにより、捕獲した飛翔虫の残骸を処分することができるため、衛生的にも優れている。
【００１９】
ここで、捕獲手段が粘着シートにより構成された本考案の捕虫器にあって、外枠は、誘虫ランプと粘着シートとが内側に装着される割筒状の取付基盤と、取付基盤の両側に設けられ、その内面に、互いに対向するように略円環状の摺動ガイドが夫々形成された側板とからなり、側板間に幅広状の捕虫開口が形成された筒状筐体と、両端が両側板の摺動ガイドに連係されて任意の回動位置に移動可能に装着され、捕虫開口を開閉する断面円弧状の開閉引戸とを備えたものであって、前記筒状筐体内に、その捕虫開口に臨むように粘着シートが配設され、該粘着シートと捕虫開口との間にマイナスイオン発生器のカーボンブラシが配設されていることを特徴とする構成が提案される。
【００２０】
かかる構成にあっては、捕虫開口に臨む粘着シートにより飛翔虫を捕獲し易いと共に、粘着シートと捕虫開口との間にカーボンブラシが配設されていることから、粘着シートに捕獲した飛翔虫の残骸から捕虫開口を介して放たれる異臭を、カーボンブラシから発生するマイナスイオンにより一層安定的かつ効率的に抑制できる。
【００２１】
また、本構成にあっては、開閉引戸を、捕虫開口を閉鎖する回動位置、捕虫開口を部分的に開放する回動位置、捕虫開口を広く開放する回動位置等に、任意に移動できるため、設置場所や設置態様に応じて回動位置を調整することによって捕虫開口から粘着シートを視認し難くできる。そして、部分的または全体的に開放した捕虫開口から飛翔虫を捕獲できることから、飛翔虫を捕獲する粘着シートを視認し難くする効果と飛翔虫を捕獲する効果とを両立できる。
【００２２】
したがって、本構成によれば、店舗などで求められる清潔感と捕虫効果との両者を十分に満足させることができる。
【考案の効果】
【００２３】
上述した本考案の捕虫器によれば、マイナスイオン発生器により発生されるマイナスイオンの空気清浄化作用によって、粘着シートに捕獲した飛翔虫の残骸から異臭が放たれることを抑制できる。したがって、店舗や事務所などに設置した場合に、これら設置場所の衛生環境を比較的長期に亘って良好に保つことができる。さらに、マイナスイオン発生器により発生されるマイナスイオンによって、タバコや調理などによる煙を清浄化することもできる。そのため、本考案の捕虫器を設置することによって、飛翔虫を捕獲する作用効果と空気を清浄化する作用効果との両方が発揮され得る。
【図面の簡単な説明】
【００２４】
【図１】実施例の捕虫器１の捕虫開口２０を閉鎖した状態を示す、（Ａ）正面図と、（Ｂ）側面図と、（Ｃ）背面図である。
【図２】同上の捕虫器１の、（Ａ）縦断面図と、（Ｂ）横断面図である。
【図３】捕虫器１の、（Ａ）開閉引戸１３，１３の閉鎖状態と、（Ｂ）開放された状態とを示す図２（Ａ）のＰ−Ｐ断面図である。
【図４】別例の捕虫器５１の斜視図である。
【考案を実施するための形態】
【００２５】
本考案の実施形態を、以下の実施例に従って説明する。
図１〜３に示すように、本実施例の捕虫器１は、略円筒形状のハウジング２と、誘虫ランプ５と、粘着シート６と、マイナスイオン発生器７と、電源回路装置８とを備えたものである。尚、ハウジング２が本考案にかかる外枠を構成し、粘着シート６が本考案にかかる捕獲手段を構成するものである。
【００２６】
ハウジング２は、割筒状の取付基盤２１と側板３１，３１とからなる筒状筐体１１と、筒状筐体１１の前面に開口形成された捕虫開口２０（図３（Ｂ）参照）を開閉する二枚の断面円弧状の開閉引戸１３，１３とから構成されている。本実施例にあって、筒状筐体１１と開閉引戸１３，１３とは所定の樹脂を成形加工してなるプレスチック製である。
【００２７】
ここで、筒状筐体１１の取付基盤２１は、円筒を長手方向に沿って略半割された形態の割筒状に形成されており、その周方向中央部分を長手方向に沿って扁平した設置面部２２と、該設置面部２２の両側に曲面状の背側曲面部２３，２３とを備えている。そして、この背側曲面部２３，２３には、内外に連通する捕虫孔２５が複数形成されている。さらに、この取付基盤２１には、設置面部２２および背側曲面部２３，２３の長手方向両端に略円板状の筒端面部２４，２４が一体的に形成されており、該筒端面部２４，２４の中心部位に、後述する締付螺子３５，３５を挿通する挿通孔（図示省略）が形成されている。
【００２８】
取付基盤２１の両側の筒端面部２４，２４には、図２のように、側板３１，３１が締付螺子３５，３５により結合されている。側板３１は、結合状態で、取付基盤２１の設置面部２２より背方へ突出しないように欠円状とした略円板形の主板部３１ａと、該主板部３１ａの円弧外縁から起立する周縁部３１ｂとから構成されている。各側板３１の主板部３１ａの中心には、前記した締付螺子３５を挿通する挿通孔（図示省略）が夫々形成されている。そして、側板３１，３１を、その挿通孔が筒端面部２４，２４の挿通孔と重なるように、筒端面部２４，２４を外側から被覆し、締付螺子３５，３５を外側から両挿通孔に通して、内側で締付用ナット３６，３６に螺合させることにより、取付基盤２１と結合している。
【００２９】
各側板３１には、その周縁部３１ｂの内側に、該周縁部３１ｂに沿って円環状の溝が形成されており、該溝により摺動ガイド３２が構成されている。そして、両側の側板３１，３１で、それぞれの摺動ガイド３２，３２が互いに対向するように形成されて位置決めされている。
【００３０】
このように筒状筐体１１は、取付基盤２１と側板３１，３１とから構成されるものであり、側板３１，３１間に前方を開口する捕虫開口２０（図３（Ｂ）参照）が画成されている。この捕虫開口２０は、半円筒形をなす取付基盤２１の長手方向に沿った側辺間を開口幅としており、幅広状となっている。
【００３１】
また、筒状筐体１１の側板３１，３１の摺動ガイド３２，３２に、二枚の開閉引戸１３，１３が移動可能に装着されている。各開閉引戸１３，１３は、その断面が略１／４円弧形の湾曲板状となっており（図３参照）、その両端を、摺動ガイド３２，３２を構成する溝に挿入して、該摺動ガイド３２，３２に連係されている。これにより、開閉引戸１３，１３は、摺動ガイド３２，３２に従って、回動可能となっている。この開閉引戸１３，１３は、その長さが、側板３１，３１が取付基盤２１と結合された状態で、両摺動ガイド３２，３２の溝底面間距離とほぼ同じ寸法となっている。これにより、側板３１，３１を上記した締付螺子３５，３５で緊締することにより、摺動ガイド３２，３２により挟持されて回動できないようにしている。そして、この締付螺子３５，３５を緊締した状態から緩めることにより、開閉引戸１３，１３が回動可能となる。
【００３２】
尚、本実施例にあって、上記した開閉引戸１３，１３は、光触媒を含有した樹脂から成形加工して得たプラスチック製としている。誘虫ランプ５を点灯した状態では、開閉引戸１３，１３の内面に照射された紫外線により、光触媒が光励起されて空気中の有機化合物を酸化して炭酸ガスを発生させる。これにより、捕虫器１の内部では炭酸ガス濃度が高まるため、該炭酸ガスに強く誘引される有害な吸血蚊の捕獲効果が向上する。
【００３３】
上述した筒状筐体１１の取付基盤２１には、その内側に、電源回路装置８を内部に配設したケース部２９と、誘虫ランプ５を装着するソケット２６，２６と、粘着シート６を装着するシート装着部２７ａ，２７ｂとが設けられている。ここで、ケース部２９は、取付基盤２１の長手方向片側部分に形成されており、該ケース部２９の形成されていない領域に誘虫ランプ５および粘着シート６が長手方向に沿って配設されるように、ソケット２６，２６およびシート装着部２７ａ，２７ｂが設けられている。さらに、誘虫ランプ５が、粘着シート６よりも取付基盤２１の設置面部２２側（背側）に配設されるように、ソケット２６，２６およびシート装着部２７ａ，２７ｂが設けられている。
【００３４】
尚、誘虫ランプ５は、本実施例にあって、直管状蛍光灯からなり、波長３００〜４００ｎｍの紫外線を発し、該紫外線によって多くの飛翔虫を誘引できるものである。この誘虫ランプ５が、上記したソケット２６，２６に着脱可能に装着されており、該ソケット２６，２６が、ケース部２９内に配設された電源回路装置８を介して外部電源（図示せず）と接続される。
【００３５】
上記したシート装着部２７ａ，２７ｂは、薄い帯状の粘着シート６を張設するものであり、粘着シート６を装着して張設した状態で、該粘着シート６が、捕虫開口２０を臨み且つ誘虫ランプ５を前方から隠すように配設される。この粘着シート６は、その一側縁に固定支持具１７ａが結合されており、他側縁に取付フック１７ｂが結合されている。そして、シート装着部２７ａは、固定支持具１７ａを前方から着脱可能に係止できるものであり、シート装着部２７ｂは、取付フック１７ｂを係止する金属製のクリップ形となっている。すなわち、粘着シート６は、その固定支持具１７ａをシート装着部２７ａに係止した後、取付フック１７ｂにシート装着部２７ｂを撓ませながら係止することにより、シート装着部２７ｂの固有の弾性力により付勢されて張設されるのである。尚、粘着シート６は、その両面に粘着剤が塗布されている。
【００３６】
上記したケース部２９内に配設された電源回路装置８は、外部電源から供給される５０Ｈｚ又は６０Ｈｚの交流電力を直流電力に変換するインバータ回路と、直流電力を所定周波数の交流電力に変換するコンバータ回路と、これら各回路を制御する制御装置とを備えている。そして、この電源回路装置８は、上記のソケット２６，２６と、マイナスイオン発生器７に接続されており、変換後の交流電力を誘虫ランプ５とマイナスイオン発生器７とに夫々供給する。尚、電源回路装置８は、従来から用いられている構成のものを適用できるため、その詳細については省略する。
【００３７】
また、上記したマイナスイオン発生器７は、カーボンブラシ４１からマイナスイオンを発生させるカーボンブラシ方式であり、コロナ放電方式を用いたものである。マイナスイオン発生器７は、所定筐体内に電気回路と制御回路とを備えた回路部４２に、前記カーボンブラシ４１が出力線（図示せず）を介して接続されており、該回路部４２から供給津される電力によりカーボンブラシ４１に所定電圧を印加する。この電圧印加によりカーボンブラシ４１から放電させることにより、マイナスイオンを発生させる。ここで、カーボンブラシ４１は、複数本のカーボンファイバを略一方向に束ねたものである。このようなマイナスイオン発生器７は、従来から用いられているものを適用できるため、その詳細を省略する。
【００３８】
マイナスイオン発生器７は、回路部４２が上記の電源回路装置８に接続されてケース部２９内に配設されており、カーボンブラシ４１がケース部２９外に配設されて筒状筐体１１の内部空域に露出している。ここで、カーボンブラシ４１は、シート装着部２７ａ，２７ｂに装着された状態の粘着シート６と、捕虫開口２０との間に位置するように設置されている。
【００３９】
上述した捕虫器１は、図３（Ａ）のように、前面側（捕虫開口２０側）で、二枚の開閉引戸１３，１３を互いに対向する側辺同士を、当接させることにより、捕虫開口２０を閉鎖する（図１（Ａ）参照）。この閉鎖状態では、当該捕虫器１の内部を正面から視認できない。そして、開閉引戸１３，１３は、略１／４円弧断面形であることから、この閉鎖状態で、上記した取付基盤２１の捕虫孔２５が全て開放された状態となる。このため、捕虫開口２０が閉鎖されていても、背側の捕虫孔２５から飛翔虫を捕獲可能である。
【００４０】
また、図３（Ｂ）のように、開閉引戸１３，１３をそれぞれ周方向の両側へ移動すれば、捕虫開口２０が開放される。こうして捕虫開口２０が大きく開放されることにより、該捕虫開口２０から飛翔虫を捕獲し易くなるため、上記した閉鎖状態に比して捕獲効果も向上する。尚、捕虫開口２０を開放すると、開閉引戸１３，１３が取付基盤２１の捕虫孔２５を部分的または全体的に閉鎖する。
【００４１】
この捕虫器１は、取付基盤２１の設置面部２２を壁面に接するようにして壁に取り付けたり、該設置面部２２を下にして横置きしたり、片側の側板３１を下にして縦置きしたり、紐などにより横向きに吊り下げたりして設置することができる。そして、設置場所や設置向き（設置態様）に応じて、上記したように開閉引戸１３，１３を適宜閉鎖した状態や開放した状態にすることにより、粘着シート６を捕虫器１の外側から視認し難くできる。
【００４２】
また、捕虫開口２０を開放した状態では、粘着シート６の、該捕虫開口２０に臨む前面で、飛翔虫を捕獲する傾向が高く、その残骸が残る。粘着シート６は、捕虫開口２０を開放した場合に比較的容易に交換可能であるが、交換までの期間が長くなるに従って、粘着シート６に捕獲された残骸が残留している期間も長くなると共に、残骸の個数も増加する。これに伴って、残骸から異臭が発生し易くなる。特に、カメムシ等のように比較的強い異臭を発生する飛翔虫を捕獲した場合には、該飛翔虫の残骸から比較的強い異臭が発生し易い。これに対して、捕虫器１には、マイナスイオン発生器７のカーボンブラシ４１からマイナスイオンを発生することから、該マイナスイオンの効果によって前記異臭が放たれてしまうことを抑制できる。そのため、多数の飛翔虫の残骸が残る粘着シート６が保持されていても、異臭による不快感を生じさせ難くできる。
【００４３】
尚ここで、マイナスイオン発生器７のカーボンブラシ４１が、粘着シート６と捕虫開口２０との間に配設されていることから、該カーボンブラシ４１から発生するマイナスイオンによって、主に捕虫開口２０から入ってきて粘着シート６の前面に捕獲された飛翔虫の残骸により異臭が捕虫器１の外部に放たれることを抑制する効果が一層高く生ずる。一方、図３（Ａ）のように捕虫開口２０の閉鎖状態では、背側の捕虫孔２５から入った飛翔虫が粘着シート６の裏面で捕獲され易くなる。カーボンブラシ４１は、粘着シート６の前面側に配設されているが、捕虫開口２０が閉鎖状態であるため、マイナスイオンがハウジング２の内部空域に滞留し易く、粘着シート６の裏面に捕獲された残骸により異臭が放たれることも抑制できる。
【００４４】
このように本実施例の捕虫器１によれば、開閉引戸１３，１３の回動位置を変化させることにより、様々な設置場所や設置態様に応じて、高い捕虫効果を発揮しつつ、内部の粘着シート６を視認し難くすることができる。また、ハウジング２内に配設したマイナスイオン発生器７のカーボンブラシ４１から発生させたマイナスイオンによって、粘着シート６で捕獲した飛翔虫の残骸から発生する異臭が外部に放たれることを抑制できる。そして、カメムシ等のように比較的強い異臭を発生する飛翔虫を捕獲した場合でも、前記マイナスイオンの効果により、その異臭が放たれることを抑制できる。さらにまた、マイナスイオンによって、上記した異臭だけでなく、例えばタバコや調理の煙などを清浄化できることから、捕虫器１は空気清浄機としての作用効果も発揮できる。そのため、本実施例の捕虫器１を設置することにより、捕虫効果と空気清浄化効果との両方を発揮できる。したがって、喫茶店やレストラン等の飲食店や、食品の販売店等のように、清潔感が強く求められる店舗で一層好適に使用できる。
【００４５】
さらにまた、誘虫ランプ５とマイナスイオン発生器７とは、電源回路装置８を介して外部電源から電力供給されており、該電源回路装置８のインバータ回路とコンバータ回路とにより電力調整していることから、所定の電力を安定的に供給できると共に、省エネルギー化も実現できる。
【００４６】
一方、上述した実施例の他の構成として、図４に示す別例の捕虫器５１も提案される。別例の捕虫器５１は、前面と後面とを開口した略直方体形状の外枠５２の内部に、誘虫ランプ５５、粘着シート５６、マイナスイオン発生器５７、電源回路装置（図示せず）を備えており、実施例の構成に比して大きく、主に天井から吊り下げて設置されるものである。この捕虫器５１は、外枠５２の内部空域に、誘虫ランプ５５と粘着シート５６とが上下に並設されており、その左側に、内部に電源回路装置とマイナスイオン発生器５７が配設されたケース部５９が設けられている。誘虫ランプ５５は、外枠５２の内部に設けられた左右のソケット６３に装着され、粘着シート５６は、左右のソケット６３の下方に夫々設けられたシート取付溝（図示省略）に脱着可能に装着される。ここで、粘着シート５６は、一面に粘着剤を配した薄い帯状シートで構成されており、その両端に取り付けられた取付部６２を前記シート取付溝に係合することにより装着できる。そして、この粘着シート５６は、粘着剤を配した一面が外枠５２の前面開口６０に臨むように装着されている。また、前記したマイナスイオン発生器５７は、上述した実施例と同様のものであり、そのカーボンブラシ６１が粘着シート５６の前面側で外枠５２の内部空域に露出するように配設されている。また、このマイナスイオン発生器５７と誘虫ランプ５５とは、電源回路装置を介して外部電源に接続され、該電源回路装置により変換された所定電力が供給される。
【００４７】
かかる別例の構成にあっても、マイナスイオン発生器５７のカーボンブラシ６１から発生したマイナスイオンによって、粘着シート５６で捕獲した飛翔虫の残骸により異臭が放たれることを抑制できる。したがって、上述した実施例と同様に、粘着シート５６を比較的長期に亘って使用した場合にも不快感が生じてしまうことを抑制でき、店舗などの清潔感を要する場所にも好適に使用できる。
【００４８】
尚、この別例の構成は、外枠５２の形態が異なる以外は、上述した実施例と同様であり、その詳細は省略する。
【００４９】
また、上述した実施例と別例の構成は、本考案にかかる捕獲手段として粘着シートを備えた構成であるが、他の構成として、誘引された飛翔虫に電撃を与える電極を備えた構成、誘引された飛翔虫を吸引ファンによりネット内へ吸引する構成とすることもできる。これら他の構成にあっても、マイナスイオン発生器により発生したマイナスイオンの空気清浄化作用によって、捕獲した飛翔虫の残骸から発生する異臭を抑制できる。したがって、上述した実施例と同様の作用効果を発揮できる。
【００５０】
本考案の捕虫器は、上述した実施例や別例の形態に限らず本考案の要旨を逸脱しない範囲内において種々変更を加えることができる。
【符号の説明】
【００５１】
１  捕虫器
２  ハウジング（外枠）
５  誘虫ランプ
６  粘着シート（捕獲手段）
７  マイナスイオン発生器
８  電源回路装置
１１  筒状筐体
１３  開閉引戸
２０  捕虫開口
２１  取付基盤
３１  側板
３２  摺動ガイド
４１  カーボンブラシ
【図１】
0003175833.tif 000003
【図２】
0003175833.tif 000004
【図３】
0003175833.tif 000005
【図４】
0003175833.tif 000006